(57)【特許請求の範囲】
【請求項１】
燃焼装置本体が外装ケース１０に収納されたガス燃焼装置であって、
前記外装ケース１０は、前方開放の矩形箱状のケース本体２と、前記前端開口部を閉塞する前カバー３とから構成されており、
前記ケース本体２の前端開口部の内周縁に形成された内周フランジ２０と、前記前カバー３の後端の内周縁に形成された内周フランジ３９によって防水用のパッキング材１７が挟圧されている、ガス燃焼装置に於いて、
前記ケース本体２の前端開口部上縁に沿った領域のパッキング材１７を上方から覆う保護板が、前記前カバー３又は前記ケース本体２に連設されており、
前記前カバー３の内側には、上方に開放し且つ下端に排水孔を備えた下方排水受け６が設けられ、
前記下方排水受け６の上方には、上方開放の樋状に形成された上方排水受け５が設けられ、
前記ケース本体２の前端開口部上縁に沿った領域のパッキング材１７の下方へ前傾状態で迫り出す庇部材が前記上方排水受け５の上方に設けられており、
前記庇部材から流下して前記上方排水受け５で受け止められた滴下水が、前記下方排水受け６内に落下する、ガス燃焼装置。
【請求項２】
請求項１に記載のガス燃焼装置に於いて、
前記保護板は、前記前カバー３の上縁に連設されていると共に、該保護板の先端は前記ケース本体２の上面に重なる、ガス燃焼装置。
【請求項３】
請求項２に記載のガス燃焼装置に於いて、
前記ケース本体２の前端開口部近傍に前記前カバー３に内嵌する段落ち部２２が設けられており、前記段落ち部２２の前端縁が内側に屈曲されて前記内周フランジ２０が形成されている、ガス燃焼装置。
【請求項４】
請求項１〜３のいずれか１項に記載のガス燃焼装置に於いて、
前記庇部材は、前記ケース本体２の前端開口部から着脱自在に差し込まれる、ガス燃焼装置。
【発明の詳細な説明】
【技術分野】
【０００１】
本発明は、ガス燃焼装置に関するもので、例えば、給湯器に適用できる。
【背景技術】
【０００２】
給湯器などのガス燃焼装置は屋外に設置されることがあり、その外装ケース内に雨水が侵入した場合は、燃焼部や電装装置等に不具合を生じさせるおそれがある。このため、外装ケース内への雨水の侵入を防止する防水構造が施されているのが一般的である。
図６は、ガス燃焼装置としての給湯器１の従来例の縦断面概略図である。
給湯器１は、外装ケース１０の下部に配設された給気ファン１２と、ガスバーナを内臓した燃焼ユニット１１と、熱交換ユニット１３と、排気集合部１４及び排気筒１５が、この順序で上方に接続された給湯器本体１Ａを備えている。
外装ケース１０は、給湯器本体１Ａを収納するケース本体２と、その前面の開口部を覆う前カバー３とを備えており、前カバー３に開設された排気筒挿通口３００から給湯器本体１Ａの排気筒１５が外部に突出している。
前カバー３は、後端周縁に張り出した外周フランジ３ａを、ケース本体２の前端周縁に張り出した外周フランジ２ａに重ね合わせてねじ止め固定されている。
従って、屋外に設置された給湯器１が雨にさらされた場合でも、ケース本体２や前カバー３の上面に降った雨水は、外周フランジ２ａ，３ａで塞き止められて外装ケース１０に侵入せず、内部の給湯器本体１Ａや電装装置１６への悪影響が防止される。
【０００３】
ところが、図６のものでは、ケース本体２や前カバー３からの外周フランジ２ａ，３ａの張り出しにより、給湯器１の外観が損なわれるだけでなく、外周フランジ２ａ，３ａに清掃時の雑巾等が引っ掛かって清掃作業の障害になる。
【０００４】
かかる問題を解決できるものとして、特許文献２に開示されたものがある。
このものは、図７に示すように、ケース本体２の前端開口周縁に形成された内周フランジ２０と、前カバー３の後端周縁に形成した内周フランジ３９を、パッキング材１７を介在させてねじ止め固定（図示せず）するものである。このものでは、ケース本体２と前カバー３との接合部からの雨水の侵入がパッキング材１７で防止されると共に、図６のもののように、前カバー３とケース本体２の嵌合部外周に張り出す外周フランジ２ａ，３ａに相当するものがないから、給湯器１の外観が損なわれず、又、円滑な清掃が行える。
【特許文献１】特開昭６０−２１３７６８号公報（第３図等）
【特許文献２】特開平６−２８１２５９号公報
【発明の開示】
【発明が解決しようとする課題】
【０００５】
しかしながら、図７に示す給湯器では、ケース本体２と前カバー３の内周フランジ２０，３９でパッキング材１７が挟圧されるだけの構成であり、パッキング材１７の外周部が外部に露出しているから、該パッキング材１７が日光や風雨等の自然環境にさらされる。従って、パッキング材１７が経年的に劣化して防水性が損なわれ易いという問題があった。
以上のように、従来の給湯器では、ケース本体２と前カバー３の接合部の外観や清掃性の要請と、長期防水性の要請の、２つの要請に同時に応え得るものは存在しなかった。
【０００６】
本発明は係る点に鑑みてなされたもので、
『燃焼装置本体が外装ケース１０に収納されたガス燃焼装置であって、
前記外装ケース１０は、前方開放の矩形箱状のケース本体２と、該ケース本体２の前端開口部を覆う前カバー３とから構成されており、
前記ケース本体２の前端開口部の内周縁に形成された内周フランジ２０と、前記前カバー３の後端の内周フランジ３９によって防水用のパッキング材１７が挟圧されている、ガス燃焼装置』に於いて、前カバー３とケース本体２の接合部の外観及び清掃性を損なわず、且つ、該接合部の防水性の長期安定が確保できるようにすることを課題とする。
【課題を解決するための手段】
【０００７】
１．請求項１に係る発明
上記課題を解決するための請求項１に係る発明の解決的手段は、
『前記ケース本体２の前端開口部上縁に沿った領域のパッキング材１７を上方から覆う保護板が、前記前カバー３又は前記ケース本体２に連設されており、
前記前カバー３の内側には、上方に開放し且つ下端に排水孔を備えた下方排水受け６が設けられ、
前記下方排水受け６の上方には、上方開放の樋状に形成された上方排水受け５が設けられ、
前記ケース本体２の前端開口部上縁に沿った領域のパッキング材１７の下方へ前傾状態で迫り出す庇部材が前記上方排水受け５の上方に設けられており、
前記庇部材から流下して前記上方排水受け５で受け止められた滴下水が、前記下方排水受け６内に落下する』ことである。
上記解決手段によれば、ケース本体２の前端開口部上縁に沿った領域のパッキング材１７が上方から保護板で覆われて外部に露出しない。
従って、パッキング材１７に日光や風雨が作用し難くなり、パッキング材１７の経年劣化が抑制されるから、防水性の長期安定が確保できる。
【０００８】
又、パッキング材１７の配設部への雨水の侵入が保護板で遮断されるから、該保護板とパッキング材１７で雨水が二重にシールされる。
又、ケース本体２と前カバー３に設けた内周フランジ２０，３９が、ケース本体２と前カバー３の接合部の内周側に隠れるから、外観が損なわれず、又、前カバー３とケース本体２の接合部に清掃時の雑巾等が引っ掛かる不都合がない。
さらに、パッキング材１７の配設部から雨水が侵入した場合でも、雨水が庇部材から流下して上方排水受け５で受け止められて下方排水受け６で回収されるから、外装ケース１０内の燃焼装置本体や電装装置が、前記パッキング材１７の配設部から侵入した雨水から一層確実に保護される。
【０００９】
２．請求項２に係る発明
請求項１に係る発明に於いて、前記保護板は、ケース本体２に連設することもできるが、請求項２に係る発明のように、『前記保護板は、前記前カバー３から一体的に延長していると共に、該保護板の先端は前記ケース本体２の上面に重なる』構成にすることができる。
【００１０】
３．請求項３に係る発明
請求項２に係る発明に於いて、『前記ケース２の前端開口部近傍に前記前カバー３に内嵌する段落ち部２２が設けられており、前記段落ち部２２の前端縁が内側に屈曲されて前記内周フランジ２０が形成されている』ものでは、前カバー３の上縁に連設されている保護板が段落ち部２２に略密に外嵌するから、前カバー３の後端部３１とケース本体２の前端周縁の段落ち部２２とでオーバーラップ部が形成され、雨水がパッキング材１７の配設部に侵入するのを可及的に防止できる。
【００１１】
４．請求項４に係る発明
請求項１〜３のいずれか１項に係る発明に於いて、『前記庇部材は、前記ケース本体２の前端開口部から着脱自在に差し込まれる』ものでは、ケース本体２の前端開口部から庇部材を差し込むだけで、該庇部材の組み付作業が完了する。従って、庇部材の組み立て作業が簡便に行える。
【発明の効果】
【００１２】
本発明は、上記構成であるから次の特有の効果を有する。
請求項１の発明では、パッキング材１７が保護板で覆われて外部に露出しないから、該パッキング材１７が日光や風雨にさらされて経年劣化するのを抑えることができ、防水性の長期安定が確保できる。
又、既述したように、前カバー３とケース本体２の接合部がパッキング材１７とこれを覆う保護板で二重にシールされるから、防水性が向上する。
更に、ケース本体２と前カバー３に設けた内周フランジ２０，３９が、ケース本体２と前カバー３の接合部の内周側に隠れるから、外観が損なわれず、且つ、清掃時の雑巾等が前記フランジに引っ掛かる不都合がない。
さらに、パッキング材１７の配設部から雨水が侵入した場合でも、雨水が庇部材から流下して上方排水受け５で受け止められて下方排水受け６で回収されるから、外装ケース１０内の燃焼装置本体や電装装置が、前記パッキング材１７の配設部から侵入した雨水から一層確実に保護される。
【００１３】
請求項３に係る発明では、雨水がパッキング材１７の配設部に侵入するのを可及的に防止できる。
請求項４に係る発明では、前述のように、庇部材の組み付け作業が簡便に行える。
【発明を実施するための最良の形態】
【００１４】
次に、上記した本発明を実施するための最良の形態について、添付図面を参照しながら詳述する。
図１は、本発明の実施の形態に係るガス燃焼装置を例示する給湯器１の縦断面概略図、図２はその上部前方の拡大図、図３は分解斜視図である。
図１，３に示すように、給湯器１は、矩形箱状の外装ケース１０と、これに収納された燃焼装置本体たる給湯器本体１Ａ及び電装装置１６から構成されている。
給湯器本体１Ａは、外装ケース１０の下部に配設された給気ファン１２と、ガスバーナを内臓した燃焼ユニット１１と、熱交換ユニット１３と、排気集合部１４及び排気筒１５が、この順序で上方に接続された構成である。
【００１５】
給気ファン１２は、ファンモータ１２１を具備していると共に、給気ファン１２の吐出口１２２は、その上方の燃焼ユニット１１に接続されており、ファンモータ１２１の作動によって、燃焼ユニット１１内に燃焼用空気が強制供給されるようになっている。
燃焼ユニット１１は、下端が給気ファン１２の吐出口１２２に接続される角筒状の燃焼箱１１０内にガスバーナ１１１を収納した構成で、ガスバーナ１１１のガス入口には図示しないガスノズルからガス供給されるようになっている。
【００１６】
熱交換ユニット１３は、燃焼ユニット１１からの燃焼ガスで加熱される多数の平行な吸熱フィン１３２群に吸熱管１３１が貫通した構成で、その周囲を覆う矩形枠体１３０の下端開口は、燃焼ユニット１１を構成する燃焼箱１１０の上端開口に接続されている。
吸熱管１３１の上流端は、図示しない給水配管に接続されていると共に、吸熱管１３１の下流端は、浴槽や温水蛇口等へ繋がる温水配管（図示しない）に接続されている。
排気集合部１４は、下端及び前端が開放した箱体であり、下端開放部が熱交換ユニット１３の矩形枠体１３０の上端に接続されている。
【００１７】
排気集合部１４の前端には排気筒１５が接続されている。具体的には、図２に示すように、排気集合部１４の前端開口部の周縁から張り出す外周フランジ１４２には、排気筒１５の後端開口部の周縁から張り出した外周フランジ１５２がビス８９，８９で重ね合わせ状態に結合されている。
排気筒１５の胴部１５０には、前記外周フランジ１５２と後述する外装ケース１０の前カバー３で挟まれる環状パッキング材４２が外嵌装着されており、環状パッキング材４２により、前カバー３に開設された排気筒挿通口３００からの雨水の侵入が防止されている。
【００１８】
図１，３に示すように、外装ケース１０は、給湯器本体１Ａと電装装置１６を収納するケース本体２と、ケース本体２の前端開口部を覆う前カバー３とを備えている。
ケース本体２は、前方に開放した矩形箱状に形成されており、ケース本体２の前端開口部近傍は、前カバー３に内嵌する段落ち部２２が周設されている。段落ち部２２の前端縁は内側に屈曲されて内周フランジ２０が形成されていると共に、内周フランジ２０の一対の縦辺２０ａの上下端近傍には、前カバー３を固定する為の複数のビス孔ｈ１が形成されている。
【００１９】
図２に示すように、ケース本体２の上部内側には、天板２３から下方に延びる支持板２１が設けられており、支持板２１は排気筒１５の基端部の外周フランジ１５２から延長された連結片１５３にビス８７で連結固定されている。
【００２０】
ケース本体２の前端開口部の上部には、庇部材４が着脱自在に装着されている。この庇部材４は、ポリエステル製の長方形樹脂板を幅方向の中央部でく字状に屈曲したものである。図２に示すように、庇部材４は、ケース本体２の前端開口部の周縁に沿った内周フランジ２０と、排気筒１５の基端部の外周フランジ１５２の相互間に差し込まれた状態で、該外周フランジ１５２や環状パッキング材４２の上に載置されている。又、庇部材４は、ケース本体２と前カバー３の接合部に介装される後述の防水用パッキング材１７の下方に位置しており、これにより、シール不良が生じた場合にパッキング材１７部分から侵入する雨水Ｒを、前カバー３の内側に配設された上下の排水受け５，６に流下させるようにしている。
【００２１】
ケース本体２の前端開口部を覆う前カバー３は、板金を後方開放の浅皿状に絞り加工したもので、外周側板３３の後端部３１（既述発明特定事項たる「保護板」に対応する）は、ケース本体２の前端外周の段落ち部２２に略密に外嵌するようになっており、これら前カバー３の後端部３１でパッキング材１７を覆うことにより、日光や風雨にさらされるのを防いでいる。又、前カバー３の後端部３１とケース本体２の前端周縁の段落ち部２２とのオーバーラップ部Ｙにより、雨水がパッキング材１７の配設部に侵入するのを可及的に防止している。
【００２２】
図５は、前カバー３とケース本体２の嵌合部を上方から見た、一部切欠の端面図である。
前カバー３の前面の左右両側部に沿った領域には、前カバー３の固定ビス８６（図４参照）を隠蔽する化粧カバー７を嵌め込む段部３２，３２が形成されていると共に、前カバー３の後端縁周縁３１は、ケース本体２の前端外周に形成された段落ち部２２に略密に外嵌するようになっている。
【００２３】
前カバー３の外周側板３３の上辺部３３ａの下面には、図２，３に示すように、前カバー３の左右全幅に亘る垂下フランジ３４が突設している一方、前カバー３の外周側板３３の下辺部３３ｂの上面にはポケット板６０が立設されており、該ポケット板６０とカバー３との間が下方排水受け６となっている。
そして、前カバー３を裏面から見た場合、前カバー３の上部に設けられた垂下フランジ３４と、下部に設けられたポケット板６０の下端部６００における左右全域と、前カバー３の左右に設けられた段部３２，３２の裏面は、全体として矩形枠状に並んでおり、これらにより、パッキング材１７を挟む為の内周フランジ３９が形成されている。この内周フランジ３９と、ケース本体２の前端周縁の内周フランジ２０によって、矩形枠状のパッキング材１７が挟圧される。これにより、ケース本体２と前カバー３の嵌合接合部の防水性が確保される。又、ケース本体２と前カバー３に設けた内周フランジ２０，３９が、ケース本体２と前カバー３の接合部の内周側に隠れるから、給湯器１の外観が損なわれず、又、清掃時の雑巾等が前記接合部に引っ掛かる不都合がない。
【００２４】
図１，２に示すように、前カバー３の外周側板３３の下辺部３３ｂには、下方排水受け６内の水を排水する排水孔３３０が形成されていると共に、下方排水受け６の上方に設けられた上方排水受け５は、上方開放の樋状に形成されており、図３に示すように、上方排水受け５で受けられた雨水は、長手方向の一方の排水端５０から下方排水受け６の側方の拡大口部６１に滴下する構造になっている。図２に示すように、上方排水受け５は、給湯器本体１Ａの排気筒１５と排気集合部１４との接合部Ｐの下方に位置していると共に、上方排水受け５と前カバー３の前面板３０の間には、前面板３０の内面に沿って流下する雨水を下方排水受け６側に通すための間隙３８が形成されている。
【００２５】
前カバー３の前面の左右両側部に沿って形成された段部３２には、図３，図４に示すように、上下全域に亘る樹脂製の化粧カバー７が固定ビス８６で添設固定される。化粧カバー７の上下端の近傍には、開閉蓋７０で開閉される凹部７１が形成されており、凹部７１の底部にはビス孔７２が開設されている。該ビス孔７２は、前カバー３の左右両側部に沿って形成された段部３２に開設された透孔３８、パッキング材１７の透孔１７０、及び、ケース本体２の内周フランジ２０に開設されたネジ孔ｈ１に対向している。従って、固定ビス７２を、ビス孔７２→透孔３８→透孔１７０と挿通させた後、ネジ孔ｈ１に螺入すると、前カバー３がケース本体２に取り付けられると共に、化粧カバー７が前カバー３に取り付けられる。その後、開閉蓋７０を閉じると、固定ビス８６が隠蔽される。
【００２６】
次に、前カバー３とケース本体２の接合部に設けられたパッキング材１７による防水作用を説明する。
給湯器１が雨水にさらされた場合、ケース本体２と前カバー３の接合部に作用する雨水は、前カバー３の外周側板３３の後端部３１とケース本体２の前端周縁の段落ち部２２のオーバーラップ部Ｙ（図２参照）で遮断されてその内側のパッキング材１７側に侵入しにくくなる。仮に雨水が侵入しても、これがパッキング材１７で遮断されて確実に防水される。
【００２７】
又、経年劣化等によってパッキング材１７の配設部から、雨水が侵入した場合には、該雨水Ｒはケース本体２の前端開口部の上部に設けられた庇部材４で受け止められて前方に案内され、前カバー３の内面に沿って流下し、上方排水受け５の長手方向の排水端５０から下方排水受け６に回収されるか、又は、上方排水受け５の前方の間隙３８から流下して直接的に下方排水受け６に回収される。そして、下方排水受け６の底壁に形成された排水孔３３０から外部に排水される。
【００２８】
又、排気筒１５の先端の排気口１５４内に侵入した雨水が、排気筒１５と排気集合部１４の接合部Ｐから上方排水受け５に落下すると、これが、上方排水受け５の長手方向の排水端５０から下方排水受け６に回収される。これにより、給湯器本体１Ａ内や電装装置１６が雨水に対して保護される。
このものでは、前カバー３とケース本体２の接合部に位置するパッキング材１７が、前カバー３の後端部３１で覆われて外部に露出することがない。従って、パッキング材１７に日光や風雨が作用し難くなり、パッキング材１７の経年劣化が抑制されるから、防水性の長期安定が確保できる。
【００２９】
又、前カバー３の外周側板３３の後端部３１とケース本体２の前端周縁の段落ち部２２とのオーバーラップ部Ｙにより、パッキング材１７の配設部へ雨水が侵入しにくくなり、該オーバーラップ部Ｙと保護板とパッキング材１７で雨水が二重にシールされ、防水性が向上する。
【００３０】
［その他］
１．上記実施の形態では、本発明を給湯器１に適用した場合を例示的に説明したが、室内に設置された暖房用放熱器との間で温水を循環させせる温水循環加熱器等にも適用できる。
２．上記実施の形態では、前カバー３の後端部３１でパッキング材１７を覆って日光等から保護するようにした。これに対し、前記後端縁３１に代えて、ケース本体２の前端開口の周縁にパッキング材１７の外周へ延びる保護板を連設してもよい。
３．図１の想像線で示すように、ケース本体２の天板２３を後ろ下がりに傾斜させれば、天板２３上に降った雨が後方に流動し、これにより、パッキング部材１７の配設部に雨水が一層流れ込みにくい。
【図面の簡単な説明】
【００３１】
【図１】本発明の実施の形態に係る給湯器１の断面図
【図２】図１の給湯器１の要部の拡大断面図
【図３】本発明の実施の形態に係る給湯器１の分解斜視図
【図４】化粧カバー７の装着部の拡大斜視図
【図５】前カバー３とケース本体２の嵌合部を説明する図
【図６】従来例の説明図
【図７】従来例の説明図
【符号の説明】
【００３２】
２・・・ケース本体
３・・・前カバー
１０・・・外装ケース
１７・・・パッキング材
２０，３９・・・内周フランジ
【図１】
0004704898.tif 000002
【図２】
0004704898.tif 000003
【図３】
0004704898.tif 000004
【図４】
0004704898.tif 000005
【図５】
0004704898.tif 000006
【図６】
0004704898.tif 000007
【図７】
0004704898.tif 000008